(57)【要約】【課題】一時的に蓄積した画像プリントのための画像データの削除時期を調整する引渡システムを提供する。【解決手段】受付部８Ａが顧客から画像データを取得し、その画像データを画像プリントするためのオーダを受付ける。画像管理部８Ｅは、画像データとオーダ特定情報とを関連付けて蓄積する。プリンタによりプリントされた画像プリントは、オーダ単位で引渡装置Ｅの収容部の収容空間Ｓに収容され、収容空間Ｓとオーダ特定情報とが関連付けて収容情報管理部により管理される。引渡装置Ｅから顧客に画像プリントが引渡されると、引渡通知部４８Ａから画像管理部８Ｅに引渡した画像プリントのオーダ特定情報が通知される。通知を取得した画像管理部８Ｅは、通知の取得時から所定期間経過後に、通知されたオーダ特定情報に関連付けられている画像データを削除する。【選択図】図７
2010067059.tif 000002
【特許請求の範囲】
【請求項１】
顧客から画像データを取得し、当該画像データを画像プリントするためのオーダを受付ける受付部と、
前記画像データと前記オーダを特定可能なオーダ特定情報とを関連付けて保存管理する画像管理部と、
前記画像プリントをオーダ単位で収容する複数の収容空間を備えた収容部と、
前記収容空間と当該収容空間に収容されている前記画像プリントに係るオーダ特定情報とを関連付けて管理する収容情報管理部と、
前記オーダ特定情報を取得するオーダ特定情報取得部と、
取得した前記オーダ特定情報に関連付けられた前記画像プリントを前記収容部から送出する送出部と、
前記送出部が前記画像プリントを送出した際に、当該画像プリントに係るオーダ特定情報を前記画像管理部に通知する引渡通知部と、を備え、
前記画像管理部は、前記引渡通知部から前記オーダ特定情報が通知されてからの経過時間を計時し、当該経過時間が所定期間に達した際に当該オーダ特定情報に関連付けられている前記画像データを削除することを特徴とする引渡システム。
【請求項２】
前記受付部が、引渡しが完了したオーダの前記オーダ特定情報を取得することにより再プリントのオーダを受付けた際に、
前記画像管理部は、取得した前記オーダ特定情報に係る経過時間の計時を停止することを特徴とする請求項１記載の引渡システム。
【発明の詳細な説明】
【技術分野】
【０００１】
本発明は、顧客から写真プリントのオーダを受付ける受付装置と、前記オーダに係る写真プリントを顧客に引渡す引渡装置とを備えた引渡システムに関し、特にオーダに係る画像データを蓄積する画像管理部を備えた引渡システムに関する。
【背景技術】
【０００２】
近年の写真処理機器の進歩に伴い、写真処理機器が小型化、低価格化している。そのため、写真プリント店では、自身の店舗にミニラボと称せられる写真処理機器を設置し、ミニラボで顧客からのオーダを処理することにより、顧客に写真プリントを引渡すまでの時間を短縮し、顧客の利便性を向上させると共に、独自性の高いプリント画像作り等による他店舗との差別化を図っている。
【０００３】
また、写真プリントのオーダを入力可能な受付装置を店舗に設置し、顧客自らが写真プリントのための画像データや写真プリントの枚数等のオーダ情報を入力可能にする店舗も増大している。このような受付装置を用いることで、店舗の省力化が図られている。
【０００４】
通常、このようなミニラボや受付装置を用いた写真プリントシステムでは、写真プリントための画像データは、一時的に蓄積され、写真プリントが行われる。また、再プリント時には、保存した画像データを用いることで、顧客の利便性を向上させている。
【０００５】
しかしながら、画像データを蓄積する画像記録媒体の容量は有限であるために、何らかのタイミングで画像データを削除しなければならない。
【０００６】
この画像データの削除時期を決定するために、様々な方法が検討されている。例えば、特許文献１には、画像データをプリントオーダー単位で一時的に保存させて所定条件との比較により合致したものは削除する第１の保存形態と、画像データをプリントオーダー単位で保存させて削除指令により削除する第２の保存形態とを有する画像処理方法が開示されている。
【０００７】
この特許文献１の技術では、例えば、保存期間が所定期間経過した際、保存したオーダ数が所定数に達した際、もしくは画像データの容量が所定の容量を超えた際に、画像データが削除される。
【０００８】
【特許文献１】特開平２００３−２２６０５０（段落番号００１４−００１５）
【発明の開示】
【発明が解決しようとする課題】
【０００９】
上述の特許文献１の技術では、保存期間、保存オーダ数、保存画像容量に基づき画像データが削除されるため、顧客が再プリントを希望した際に画像データが保存されているか否かは不明である。そのため、顧客は、再プリントのオーダをする場合であっても、プリントされた画像データが保存されていない場合には、画像記録媒体から画像データを入力しなければならない。その上、再プリントのオーダ時に画像データを記録した画像記録媒体を携行していない場合には、再度来店しなければならず、顧客に不便を強いることとなる。
【００１０】
本発明の課題は、上記実状に鑑み、一時的に蓄積した画像プリントのための画像データの削除時期を調整する引渡システムを提供することである。
【課題を解決するための手段】
【００１１】
前記課題を解決するために、本発明の引渡システムは、顧客から画像データを取得し、当該画像データを画像プリントするためのオーダを受付ける受付部と、前記画像データと前記オーダを特定可能なオーダ特定情報とを関連付けて保存管理する画像管理部と、前記画像プリントをオーダ単位で収容する複数の収容空間を備えた収容部と、前記収容空間と当該収容空間に収容されている前記画像プリントに係るオーダ特定情報とを関連付けて管理する収容情報管理部と、前記オーダ特定情報を取得するオーダ特定情報取得部と、取得した前記オーダ特定情報に関連付けられた前記画像プリントを前記収容部から送出する送出部と、前記送出部が前記画像プリントを送出した際に、当該画像プリントに係るオーダ特定情報を前記画像管理部に通知する引渡通知部と、を備え、前記画像管理部は、前記引渡通知部から前記オーダ特定情報が通知されてからの経過時間を計時し、当該経過時間が所定期間に達した際に当該オーダ特定情報に関連付けられている前記画像データを削除する。
【００１２】
この構成では、顧客に対して引渡装置から画像プリントが引渡されると、その旨が引渡装置から画像管理部に通知され、通知を受けた画像管理部は、通知時から所定期間経過後に引渡された画像プリントに係る画像データを削除する。これにより、顧客の画像プリントの受け取りが遅れた場合でも、画像データは削除されないため、画像データの蓄積に必要な画像記録媒体の容量を増やすことなく、顧客の利便性を向上させることができる。
【００１３】
また、本発明の引渡システムの好適な実施形態の一つでは、前記受付部が、引渡しが完了したオーダの前記オーダ特定情報を取得することにより再プリントのオーダを受付けた際に、前記画像管理部は、取得した前記オーダ特定情報に係る経過時間の計時を停止する。
【００１４】
この構成では、受付部が再プリントのオーダを受付けた際に、画像データを削除するまでの計時が停止される。これにより、再々プリント以降のオーダの際にも画像データが削除されておらず、顧客の利便性を向上させることができる。
【発明を実施するための最良の形態】
【００１５】
以下に、本発明による引渡システムの実施形態を図面に基づき説明する。
〔システム構成〕
図１に示すように、本実施形態における引渡ステムは、顧客からオーダを受付ける受付装置Ａ、受付装置Ａからの情報に基づき銀塩式の印画紙でなる画像形成媒体Ｐに画像を形成し、画像プリントを行う銀塩プリンタＢ、顧客に対して画像プリントを引渡す引渡装置Ｅが通信ネットワークＬで接続されることにより構成されている。本実施形態では、通信ネットワークＬは、有線ＬＡＮを用いるが、無線ＬＡＮや他の通信技術を用いても構わない。
【００１６】
本実施形態における引渡装置Ｅは、第１引渡装置Ｅ１、第２引渡装置Ｅ２および第３引渡装置Ｅ３が用いられている。なお、特に区別する必要がある場合を除き、これらを引渡装置Ｅと総称する。これらの引渡装置Ｅには、プリントサイズや写真プリントに使用される画像形成媒体Ｐの種類に対応した写真プリントが格納される。
【００１７】
第１引渡装置Ｅ１および第２引渡装置Ｅ２には、画像データを記録紙でなる画像形成媒体ＰにプリントするインクジェットプリンタＣおよびプリントされた画像形成媒体Ｐを処理袋Ｑに封入するエンベロッパＤが備えられている。また、エンベロッパＤは、処理袋Ｑに封入された画像形成媒体Ｐを対応する引渡装置Ｅの収納ユニット４６（本発明における収容部の例）に自動装填する。
【００１８】
一方、第３引渡装置Ｅ３にはインクジェットプリンタＣは備えられておらず、銀塩プリンタＢによりプリントされた画像形成媒体Ｐは、人為的操作により、処理袋Ｑへの封入、第３引渡装置Ｅ３の収納ユニット４６への装填がなされる。
【００１９】
〔受付装置〕
図２に示すように、受付装置Ａは、上部の受付端末ＡＵおよび下部の料金受領端末ＡＤから構成されている。受付端末ＡＵは、フラッシュメモリ等の半導体メモリからなる各種の半導体記録媒体から画像データを取得するための半導体ドライブ２、ＣＤ−Ｒ等のディスク型記録媒体から画像データを取得するディスクドライブ３、受付証Ｒ（図６参照）をプリントし排出する受付証プリンタ４、カメラ付き携帯電話等の機器に接続し画像データを取得するコネクタ５、および各種の表示を行うと共に顧客からの入力を可能にするタッチパネル６を表示面に形成したディスプレイ７を備えている。また、本体１の内部には、マイクロプロセッサにより構成され、各種制御を行う受付制御ユニット８を備えている。
【００２０】
さらに、図７に示すように、受付制御ユニット８は、顧客からのオーダ受付処理を行う受付部８Ａ、受付けたオーダを特定可能な情報（以下、オーダ特定情報と称する）を生成するオーダ特定情報生成部８Ｂと、オーダに係る画像プリントが封入された処理袋Ｑを引渡す引渡装置Ｅを特定可能な情報（以下、引渡装置特定情報と称する）を生成する引渡装置特定情報生成部８Ｃと、オーダ特定情報、引渡装置特定情報をはじめとする引渡時に必要となる情報をプリントした受付証Ｒを作成する受付証作成部８Ｄと、ハードディスク等からなる画像記録媒体ＨＤにオーダに係る画像データをオーダ特定情報と関連付けて保存管理する画像管理部８Ｅとが備えられている。本実施形態では、受付部８Ａ、オーダ特定情報生成部８Ｂ、引渡装置特定情報生成部８Ｃ、受付証作成部８Ｄおよび画像管理部８Ｅは、ソフトウェアにより構成されるが、ハードウェアにより構成してもよいし、ソフトウェアとハードウェアとが協働する構成としても構わない。
【００２１】
なお、本実施形態では、オーダ特定情報はオーダ毎に排他的に割り当てられた数字を用い、引渡装置特定情報は、各引渡装置Ｅに排他的に割り振られた数字を用いるが、他の情報を用いても構わない。
【００２２】
一方、料金受領端末ＡＤは、縦長姿勢のケース１０の上部位置に備えられ、硬貨を受領する硬貨投入孔１１Ａを備えた硬貨受領器１１、紙幣を受領する紙幣挿入孔１２Ａを備えた紙幣受領器１２、およびケース１０の下部位置に備えられ、釣銭を排出する釣銭排出口１３Ａを供えた釣銭排出器１３を備えている。
【００２３】
〔銀塩プリンタ〕
図１に示すように、銀塩プリンタＢは、暗箱構造のハウジング２０を備え、ハウジング２０の端部のコンソール２１の上面にフィルムから画像データを取得するフィルムスキャナ２２、各種情報を表示するディスプレイ２３、ディスクドライブ２４、キーボード２５、マイクロプロセッサにより構成され、画像プリントに必要な各種処理を行う主制御ユニット２６等を備えている。
【００２４】
また、ハウジング２０の内部には、印画紙でなる画像形成媒体Ｐに露光を行う露光部（図示せず）、露光後の画像形成媒体Ｐの現像処理を行う現像部（図示せず）、および現像処理後の画像形成媒体Ｐの乾燥を行う乾燥部（図示せず）を備えている。一方、ハウジング２０の外部には、乾燥後の画像形成媒体Ｐを搬送する搬送ベルト２７、および搬送ベルト２７により搬送される画像形成媒体Ｐをオーダ単位で仕分けるソータ２８が備えられている。
【００２５】
〔インクジェットプリンタ〕
図３に示すように、インクジェットプリンタＣは、ロール状に巻き取られた記録紙でなる画像形成媒体Ｐを搬送するように複数の圧着ローラ３１が配置された搬送経路が形成され、搬送経路に沿って搬送される画像形成媒体Ｐに対して搬送方向（副走査方向）に直交する方向（主走査方向）に往復作動しながらインクを吐出するプリンタヘッド３２、プリントヘッド３２により画像が形成された画像形成媒体Ｐをプリントサイズに切断するカッター３３、およびマイクロプロセッサにより構成され、これらの動作を制御するプリント制御ユニット３４を備えている。
【００２６】
〔エンベロッパ〕
図３に示すように、エンベロッパＤは、インクジェットプリンタＣによりプリントされた画像形成媒体Ｐを積み重ねて一時的に貯留し、貯留した画像形成媒体Ｐをオーダ単位で処理袋Ｑに封入する封入部３６、封入部３６により画像形成媒体Ｐが封入された処理袋Ｑを載置して挿入高さまで持ち上げ、水平方向に移動させることにより挿入位置にセットするシフト機構３７、挿入位置においてシフト機構３７に載置されている処理袋Ｑを引渡装置Ｅに挿入するプッシャー３８、およびマイクロプロセッサにより構成され、これらの動作を制御する封入制御ユニット３９を備えている。
【００２７】
エンベロッパＤでは、封入制御ユニット３９が、インクジェットプリンタＣから連続的に送られる画像形成媒体Ｐをオーダ単位で所定サイズの処理袋Ｑに挿入し、処理袋Ｑの挿入口を閉じることにより画像形成媒体Ｐの封入を行い、引渡装置Ｅの収容空間Ｓに挿入する制御を行う。
【００２８】
なお、本実施形態では、エンベロッパＤは、処理袋Ｑに画像形成媒体Ｐを封入する構成としているが、処理袋Ｑに代えて箱状の容器に封入することや、処理袋を用いずに画像形成媒体Ｐに樹脂シートを巻きつけることによりパッケージ化する構成とすることもできる。
【００２９】
〔引渡装置〕
図３から図５に示すように、引渡装置Ｅは、筐体４１の前面に情報を表示する表示画面上に顧客等からの入力を可能にするタッチパネル４２が形成されたディスプレイ４３、受付証Ｒからオーダ特定情報を読取るバーコードリーダ４４（本発明におけるオーダ特定情報取得部の例）、およびスピーカ４５を備えている。また、筐体４１の中央部には処理袋Ｑに封入された画像形成媒体Ｐを送出する開口４１Ｇが形成され、筐体４１の背面にはエンベロッパＤから送られる処理袋Ｑを受け入れる導入口４１Ｈが形成されている。
【００３０】
筐体４１の内部には、昇降作動する２つの収容ユニット４６、および収容ユニット４６を昇降させる電動型の昇降モータ４６Ｍが備えられている。筐体４１の後部には、収容ユニット４６の収容空間Ｓに収容された処理袋Ｑを開口４１Ｇから送出する送出プレート４７（本発明における送出部の例）、および送出プレート４７を出退駆動する電動型の出退モータ４７Ｍが備えられ、筐体４１の内部には、マイクロプロセッサにより構成され、これらの動作を制御する引渡制御ユニット４８が備えられている。
【００３１】
さらに、図７に示すように、引渡制御ユニット４８は、引渡しが完了したオーダのオーダ特定情報を受付制御ユニット８に通知する引渡通知部４８Ａが備えられている。本実施形態では、引渡通知部４８Ａは、ソフトウェアにより構成されているが、ハードウェアにより構成してもよいし、ソフトウェアとハードウェアとが協働する構成としても構わない。
【００３２】
収容ユニット４６は、複数の指示プレート４６Ａを備えることにより、収容ユニット４６の内部を区画し、複数の収容空間Ｓが形成されたラックとして構成される。また、２つの収容ユニット４６は、左右に並列配置され、一方には２列の支持プレート４６Ａが備えられ、他方には１列の支持プレート４６Ａが備えられている。
【００３３】
収容ユニット４６は、昇降モータ４６Ｍからの駆動力がチェーンを介して伝達されることにより、ガイドレール（図示せず）に沿って昇降移動する。また、昇降時には、２つの収容ユニット４６が互いに逆方向に昇降移動するように構成されており、これにより重量バランスを均衡させている。
【００３４】
また、収容ユニット４６の昇降位置をセンサ（図示せず）により取得し、引渡制御ユニット４８が、各収容空間Ｓと開口４１Ｇとの位置関係および各収納空間Ｓと導入口４１Ｈとの位置関係を把握できる構成となっている。さらに、引渡制御ユニット４８は、収納空間Ｓと収容されている処理袋Ｑのオーダ特定情報との関係も管理している。なお、引渡制御ユニット４８により、本発明の収容情報管理部を構成している。
【００３５】
このような構成とすることにより、エンベロッパＤから画像形成媒体Ｐが封入された処理袋Ｑを受け入れる場合には、処理袋Ｑが収容されていない収容空間Ｓを導入口４１Ｈの位置に昇降移動させることができ、送出すべき処理袋Ｑが収容された収容空間Ｓが開口４１Ｇの位置に昇降移動させることができる。
【００３６】
〔受付、印刷処理〕
次に、本実施形態における、受付および印刷処理の流れを図８のフローチャートを用いて説明する。
【００３７】
顧客が画像プリントしたい画像データが記録された半導体記録媒体、ディスク型記録媒体もしくは携帯電話を受付端末ＡＵの半導体ドライブ２、ディスクドライブ３に挿入もしくはコネクタ４に接続すると、受付部８Ａは、これに記録されている画像データを取得し、ディスプレイ７に取得した画像データのサムネイル画像を表示する。顧客は、表示されたサムネイル画像を見ながら、タッチパネル６を介してプリントする画像およびプリント枚数等のオーダ情報を入力する。入力されたオーダ情報は、受付部８Ａにより取得される（＃０１）。
【００３８】
オーダ情報が取得されると、受付制御ユニット８は、プリント処理に必要な料金を計算し、その料金をディスプレイ７に表示する。表示された料金に対して、顧客が料金受領端末ＡＤから料金の支払い処理を行うと（＃０２）、オーダ特定情報生成部８Ｂは受付けたオーダのオーダ特定情報を生成する（＃０３）。また、引渡装置特定情報生成部８Ｃは、オーダ情報のプリントサイズや画像形成媒体Ｐの種類等に基づき、このオーダの画像がプリントされた画像形成媒体Ｐを収容する引渡装置Ｅの引渡装置特定情報を生成する（＃０４）。なお、オーダ特定情報および引渡装置特定情報は、オーダ情報に含められる。
【００３９】
受付証作成部８Ｄは、オーダ特定情報、受付装置特定情報、仕上がり予定日時、オーダの内容、領収額等が記載された受付証画像を作成し、受付証プリンタ４に対し受付証画像から受付証Ｒ（図６参照）を作成し、排出させる（＃０５）。
【００４０】
また、受付部８Ａは、取得した画像データとオーダ情報とを画像管理部８Ｅに送り、画像管理部８Ｅでは、画像データとオーダ特定情報とが関連付けて記録される（＃０６）。
【００４１】
次に、受付制御ユニット８は、引渡装置特定情報により特定される引渡装置ＥがインクジェットプリンタＣを備えているか否かを判定し、引渡装置ＥがインクジェットプリンタＣを備えている場合には（＃０７のYes分岐、本実施形態では第１引渡装置Ｅ１または第２引渡装置Ｅ２）、受付制御ユニット８から特定された引渡装置Ｅに備えられているインクジェットプリンタＣのプリント制御ユニット３４に対して、画像データおよびオーダ情報が送られる（＃０８）。
【００４２】
画像データおよびオーダ情報を取得したインクジェットプリンタＣでは、プリント制御ユニット３４が、オーダ情報に基づきインクジェットプリンタＣの各部を制御し、画像データを記録紙からなる画像形成媒体Ｐ上に画像を形成することにより画像プリントを行う（＃０９）。また、プリント制御ユニット３４は、エンベロッパＤの封入制御ユニット３９に対して、オーダ情報を送る。
【００４３】
プリント制御ユニット３４からオーダ情報を取得したエンベロッパＥの封入制御ユニット３９は、オーダ情報に基づいてプリント枚数を判別し、そのプリント枚数の画像形成媒体Ｐを処理袋Ｑに封入する（＃１０）。封入制御ユニット３９は、封入が終了すると、その旨およびオーダ特定情報を引渡装置Ｅの引渡制御ユニット４８に通知する。
【００４４】
封入処理が完了した旨の通知を取得した引渡制御ユニット４８は、処理袋Ｑが装填されていない収容空間Ｓを特定し、特定した収容空間Ｓとオーダ特定情報とを関連付けて記憶する（＃１１）。さらに、引渡制御ユニット４８は、特定した収容空間Ｓが導入口４１Ｈの位置となるよう昇降モータ４６Ｍを制御する。昇降動作が完了すると、その旨および収容空間Ｓの位置情報が引渡制御ユニット４８から封入制御ユニット３９に通知され、封入制御ユニット３９は、位置情報に基づきシフト機構３７を対応する導入口４１Ｈまで移動し、プッシャー３８を作動させ、処理袋Ｑを収容空間Ｓに装填する（＃１２）。
【００４５】
一方、引渡装置特定情報により特定される引渡装置ＥがインクジェットプリンタＣを備えていない場合には（＃０７のNo分岐、本実施形態では第３引渡装置Ｅ３）、受付制御ユニット８から主制御ユニット２６に対して、画像データおよびオーダ情報が送られる（＃１３）。
【００４６】
画像データおよびオーダ情報を取得した主制御ユニット２６は、オーダ情報に基づき銀塩プリンタＢの各部を制御し、画像データを印画紙からなる画像形成媒体Ｐ上に画像を形成することにより画像プリントを行う（＃１４）。
【００４７】
銀塩プリンタＢにより画像プリントが完了すると、人為的操作により、処理袋Ｑに封入され（＃１５）、第３引渡装置Ｅ３の収容空間Ｓに装填される（＃１６）。このとき、第３引渡装置Ｅ３の引渡制御ユニット４８は、処理袋Ｑが装填された収容空間Ｓとオーダ特定情報とを関連付けて記憶する（＃１７）。
【００４８】
〔引渡処理〕
以下に、本実施形態における引渡処理の流れを図９のフローチャートを用いて説明する。
【００４９】
顧客は、受付証Ｒに記載されている引渡装置特定情報に基づき受け取るオーダの処理袋Ｑが収容されている引渡装置Ｅを特定し、その引渡装置Ｅのバーコードリーダ４４から受付証Ｒに記載されているオーダ特定情報を表すバーコードを入力する（＃２１）。
【００５０】
取得されたオーダ特定情報は、引渡制御ユニット４８に送られ、引渡制御ユニット４８は取得したオーダ特定情報と関連付けられている収容空間Ｓを特定する（＃２２）。さらに、引渡制御ユニット４８は、昇降モータ４６Ｍを制御することにより、特定した収容空間Ｓを開口４１Ｇの位置に移動させ（＃２３）、出退モータ４７Ｍを制御し、送出プレートを駆動させることにより、収容空間Ｓに収容されている処理袋Ｑを送出する（＃２４）。これにより、引渡処理が完了する。
【００５１】
引渡処理が完了すると、引渡制御ユニット４８の引渡通知部４８Ａから受付制御ユニット８の画像管理部８Ｅに対して、その旨がオーダ特定情報と共に通知される（＃２５）。引渡処理完了通知およびオーダ特定情報を取得した画像管理部８Ｅは、タイマを起動して前記通知からの経過時間を計時することにより所定期間の経過を監視する（＃２６）。所定期間経過すると（＃２６のYes分岐）、画像管理部８Ｅは、引渡処理が完了したオーダ特定情報に係る画像データを画像記録部ＨＤから削除する（＃２７）。
【００５２】
〔再プリント受付〕
以下に、本実施形態における再プリント受付の処理の流れを、図１０を用いて説明する。
【００５３】
顧客が受付端末ＡＵのタッチパネル６を操作し、再プリント受付メニューを選択すると（＃３１）、受付部８Ａは、ディスプレイ７に対してオーダ特定情報を入力するための画面を表示させ、顧客に対してオーダ特定情報を入力するよう促す。顧客は、タッチパネル７を操作して、受付証Ｒにプリントされているオーダ特定情報を入力する（＃３２）。なお、受付端末ＡＵにバーコードリーダを備え、受付証Ｒにプリントされているオーダ特定情報を表すバーコードを読取ることで、オーダ特定情報を取得する構成としても構わない。
【００５４】
オーダ特定情報を取得した受付制御ユニット８は、画像管理部８Ｅに対してオーダ情報に関連付けられた画像データが画像記録部ＨＤに記録されているか否かを問い合わせる（＃３３）。画像データが画像記録部ＨＤに記録されている場合には（＃３３のYes分岐）、その画像データが画像管理部８Ｅを介して画像記録部ＨＤから受付制御ユニット８に送られ（＃３４）、オーダの入力処理に移行する（＃３５）。なお、この場合には、オーダが入力されると、画像記録部ＨＤに記録されている画像データに基づきプリント処理が実行される。
【００５５】
一方、画像データが画像記録部ＨＤに記録されていない場合には（＃３３のNo分岐）、顧客に対して、すでに画像データは削除された旨が通知され、通常の受付処理に移行する（＃３６）。
【００５６】
上述のように、本実施形態では、再プリントのオーダを受付けた際には、タイマは停止しない。そのため、再プリントの画像プリントを受け取った際には、画像データが削除されている可能性があり、削除されている場合には、その場で再々プリントのオーダをすることはできない。この不都合を回避するために、再プリントのオーダを受付けた際に、タイマを停止する構成とすることもできる。この場合には、再プリントのオーダを受付けた受付部８Ａは、顧客から取得したオーダ特定情報に係るタイマが起動しているか否かを画像管理部８Ｅに問い合わせ、タイマが起動している場合には、タイマを停止させる。その後、再プリントの画像プリントが引渡されると、その旨が引渡通知部４８Ａから画像管理部８Ｅに通知され、タイマを起動させることとなる。なお、タイマの起動に際して、経過時間を０リセットする構成とすることもできるし、０リセットしない構成とすることもできる。前者の場合には、再プリントの引渡し時から所定期間経過後に画像データが削除され、後者の場合には、画像プリントの引渡しから再プリントの受付までの累積経過時間が所定期間となったときに画像データが削除される。
〔別実施形態〕
（１）上述の実施形態では、画像記録部は受付装置に備えられる構成としたが、これに限定されるものではなく、独立したサーバを設置し、そのサーバに備える構成とすることもできるし、引渡装置Ｅに備える等、他の構成とすることもできる。
【００５７】
（２）上述の実施形態では、一つのオーダの画像プリントは、インクジェットプリンタＣまたは銀塩プリンタＢの一方により行われる場合を説明したが、一つのオーダにインクジェットプリンタＣによりプリントされる画像プリントと銀塩プリンタＢによりプリントされる画像プリントとが混在していても構わない。この場合には、インクジェットプリンタＣによりプリントされた画像形成媒体Ｐは、エンベロッパＤにより処理袋Ｑに封入され、自動的に引渡装置Ｅの収容空間Ｓに挿入される。一方、銀塩プリンタＢによりプリントされた画像形成媒体Ｐは、人為的操作により、処理袋Ｑに封入され、上述の収容空間Ｓに挿入される。
【００５８】
（３）本発明による引渡システムでは、銀塩プリンタＢ、インクジェットプリンタＣ、エンベロッパＤ、は必須構成ではなく、受付装置Ａおよび引渡装置Ｅのみの構成とすることもできる。この場合には、受付装置Ａで受付けたオーダは、人為的操作により画像プリントされ、処理袋Ｑに封入され、引渡装置Ｅの収容空間Ｓに搭載される。
【００５９】
（４）上述の実施形態における再プリント受付は、顧客が受付端末ＡＵを操作する形態としたが、これに限定されるものではなく、顧客が店舗の店員に対してオーダ識別情報を伝え、店員が受付処理を行う形態としても構わない。この場合には、本発明の引渡システムにより、図１０の＃３３以降が実行されることとなる。
【図面の簡単な説明】
【００６０】
【図１】本発明の実施形態における引渡システムの全体構成を表す斜視図
【図２】本発明の実施形態における受付装置の斜視図
【図３】本発明の実施形態におけるインクジェットプリンタ、エンベロッパおよび引渡装置の横断面図
【図４】本発明の実施形態における引渡装置の構成の概要を表す斜視図
【図５】本発明の実施形態における引渡装置の正面上部を表す図
【図６】本発明の実施形態における受付証を表す図
【図７】本発明の実施形態における引渡システムの機能要素を表す機能ブロック図
【図８】本発明の実施形態における受付、プリント処理の流れを表すフローチャート
【図９】本発明の実施形態における引渡処理の流れを表すフローチャート
【図１０】本発明の実施形態における再プリント受付処理の流れを表すフローチャート
【符号の説明】
【００６１】
Ａ：受付装置
Ｂ：銀塩プリンタ
Ｃ：インクジェットプリンタ
Ｄ：エンベロッパ
Ｅ、Ｅ１、Ｅ２、Ｅ３：引渡装置
８：受付制御ユニット
８Ａ：受付部
８Ｂ：オーダ特定情報生成部
８Ｃ：引渡端末特定情報生成部
８Ｄ：受付証作成部
８Ｅ：画像管理部
ＨＤ：画像記録部
２６：主制御ユニット
３４：プリント制御ユニット
３９：封入制御ユニット
４８：引渡制御ユニット
４８Ａ：引渡通知部
【図１】
2010067059.tif 000003
【図２】
2010067059.tif 000004
【図３】
2010067059.tif 000005
【図４】
2010067059.tif 000006
【図５】
2010067059.tif 000007
【図６】
2010067059.tif 000008
【図７】
2010067059.tif 000009
【図８】
2010067059.tif 000010
【図９】
2010067059.tif 000011
【図１０】
2010067059.tif 000012